(57)【要約】【課題】複数の刃体を持つ剃刀の提供。【解決手段】刃押さえを増やし、垂直、水平方向に刃体を数多く配置することにより、肌表面の凹凸に対応し、肌負荷を低減することを可能にした複数の刃体を持つ剃刀を提供【選択図】図１
2019042451.tif 000002
【特許請求の範囲】
【請求項１】
剃刀の柄部の先端に設けられる保持部と、
前記保持部の長さ方向に沿って保持される刃体を備え、
前記刃体を前記保持部の長さ方向に複数枚並設したことを特徴とする複数刃剃刀。
【請求項２】
更に、前記刃体を自らの刃先と直交する方向に往復移動自在となるよう前記保持部に弾性的に支持する弾性支持部を備えることを特徴とする請求項１記載の複数刃剃刀。
【請求項３】
剃刀の柄部の先端に設けられる保持部と、
前記保持部の幅方向に間隔を置いて複数枚が配置されると共に、各々が前記保持部の長さ方向に沿って保持される刃体とを備え、
複数枚の前記刃体を１組の刃体集合体として構成し、前記刃体集合体を前記保持部の長さ方向に複数組並設したことを特徴とする複数刃剃刀。
【請求項４】
更に、前記刃体集合体の刃体を、それぞれ、自らの刃先と直交する方向に往復移動自在となるよう前記保持部に弾性的に支持する弾性支持部を備えることを特徴とする請求項３記載の複数刃剃刀。
【発明の詳細な説明】
【技術分野】
【０００１】  この発明は、複数の刃体を持つ剃刀（以下、「複数刃剃刀」という。）に関し、特に、替刃カートリッジ式のＴ字型安全剃刀のカートリッジとして具体化することが好適な複数刃剃刀に関する。
【背景技術】
【０００２】  従来、替刃カートリッジ式のＴ字型安全剃刀のカートリッジに複数の刃体を設けると共に、各刃体にサスペンション機能を持たせ、刃体が平面状で互いに独立して動くようになっている安全剃刀として、特許文献１に記載の安全剃刀が知られている。
【先行技術文献】
【特許文献】
【０００３】
【特許文献１】特許３１７９４８６号
【０００４】  従来の複数刃剃刀は、図４に示すように、従来のＴ字型安全剃刀のホルダー（柄部）の先端に設けられる保持部（例えば、ホルダーの先端に着脱自在に装着されるカートリッジ）の長さ方向両端に第一刃押さえ部１及び第二刃押さえ部２を設け、第一刃押さえ部１及び第二刃押さえ部２の間に複数枚の刃体５を支持するようにしている。また、特許文献１の安全剃刀は、このような刃体５の基端をばねにより支持して各刃体５にサスペンション機能を付与するようにしている。
【発明の概要】
【発明が解決しようとする課題】
【０００５】  しかしながら、従来の複数刃剃刀では、髭や産毛の剃毛時に、使用者の皮膚や肌の表面を刃体５が摺動することになるが、この皮膚や肌の表面には細かな凹凸があり、従来の複数刃剃刀だと、刃体５に特許文献１のようなサンスペンション機能を付加した場合でも、刃体５が肌表面の凹凸に十分に追従できず、刃先４が肌に負荷をかけ、肌を傷つけてしまう可能性がある。即ち、従来の複数刃剃刀では、複数枚の刃体５を保持部の長さ方向両端に設けた第一刃押さえ部１及び第二刃押さえ部２の間で支持するため、保持部に装着できる刃体５の枚数が、保持部の幅寸法により制限される。具体的には、複数枚の刃体５は、保持部の幅方向に互いに間隔を置いて配置されるため（即ち、図４中の垂直方向に間隔を置いて配置されるため）、保持部の前面（使用時に使用者の皮膚に接する側の面）において露出する刃先４の幅と、隣接する刃先４間に設ける必要がある所定間隔とにより、保持部に装着することができる刃体５の枚数が決定される。したがって、保持部に装着できる刃体５の枚数には限界があり、図４に示すように、最大でも５枚程度が限界となる。よって、従来の複数刃剃刀は、保持部に設置できる刃体５の数が少なくなり、また、各刃体５の刃長も（第一刃押さえ部１及び第二刃押さえ部２間の寸法に対応する寸法となって）長くなるため、刃体５のサスペンション機能の動きが鈍くなる。結果的に、サスペンション機能を設けた場合でも、刃体５が肌表面の凹凸に対応できない可能性があり、肌負荷を増えてしまう可能性がある。【０００６】  そこで、この発明は、剃毛時に、使用者の皮膚や肌の表面を摺動する刃体が、皮膚や肌の表面の凹凸に確実に追従して十分に対応すること、皮膚や肌への負荷を低減することができ、より安全に使用することができる複数刃剃刀を提供することを課題とする。
【課題を解決するための手段】
【０００７】  以上の課題を解決するために、本発明の複数刃剃刀は、複数の押さえ部と、複数の刃を備えている。従来品は、刃を支える第一押さえ部と第二押さえ部があるが、本発明品は、その間に第三、第四の押さえ部を置くことにより、多くの独立した刃体を設置することができ、多くの独立した刃体を多く設置することと刃長を短くしたことによる効果により、肌表面の凹凸に対応可能にしている。
【発明の効果】
【０００８】  本発明の複数の刃体を持つ剃刀は、多くの独立した刃体と刃長を短くしたことによる効果より、人それぞれが持つ肌表面の凹凸に対応でき、肌負荷を低減させ、安全に使用することができる。
【図面の簡単な説明】
【０００９】
【図１】図１は本発明の一実施の形態に係る複数刃剃刀のカートリッジの全体構成を示す平面図である。
【図２】図２は本発明の一実施の形態に係る複数刃剃刀のカートリッジの内部構成を横断面図として概略的に示す説明図である。
【図３】図３は本発明の一実施の形態に係る複数刃剃刀の使用状態を（カートリッジの横断面図として）概略的に示す説明図である。
【図４】図４は従来の複数刃剃刀のカートリッジの全体構成を示す平面図である。
【発明を実施するための形態】
【００１０】  以下、本発明の一実施の形態に係る複数の刃体を持つ剃刀について、図面を参照して説明する。なお、図面中、同一の参照符号は同一の部材、部分、又は要素等を示すものであり、当該部材、部分又は要素等については重複した説明を省略する。
【００１１】  本実施の形態の複数刃剃刀は、Ｔ字型安全剃刀のカートリッジとして具体化されている。詳細には、図１に示すように、本実地の形態に係る複数刃剃刀は、一般的なＴ字型安全剃刀のホルダー（柄部）の先端に設けられる保持部の長さ方向両端に第一刃押さえ部１及び第二刃押さえ部２を設けている。なお、保持部は、例えば、ホルダーの先端に替刃カートリッジを着脱自在に装着するタイプのＴ字型安全剃刀の当該カートリッジとして具体化されるが、これ以外にも、ホルダーの先端に保持部を固着するタイプのＴ字型安全剃刀の当該保持部として具体化することもできる。
【００１２】  更に、本実施の形態の複数刃剃刀は、図１に示すように、第一刃押さえ部１及び第二刃押さえ部２の間に、新たな刃押さえ部分である第三刃押さえ部３を取り付けている。第一刃押さえ部１及び第二刃押さえ部２は、それぞれ、保持部の長さ方向両端（図１中の左右両端）において、保持部の幅方向に直線的に延びるよう形成された板状又はブロック状の部分である。また、第三刃押さえ部３は、第一刃押さえ部１及び第二刃押さえ部２と平行に延びるよう（即ち、保持部の幅方向に直線的に延びるよう）形成された板状又はブロック状の部分である。第三刃押さえ部３は、図１では、第一刃押さえ部１及び第二刃押さえ部２の間の中間位置に配設されているが、中間位置から左方又は右方に所定距離だけずらした位置に設けることもできる。
【００１３】  第一刃押さえ部１及び第三刃押さえ部３の間には複数枚（図１の例では５枚）の第１の刃体５が支持されている。また、第二刃押さえ部２及び第三刃押さえ部３の間にも同一の複数枚（図１の例では５枚）の第２の刃体５が支持されている。なお、第一刃押さえ部１及び第三押さえ部３の間に支持する第１の刃体５の枚数と、第二刃押さえ部２及び第三刃押さえ部３の間に支持する第２の刃体５の枚数とは、通常は同一枚数とするがが、異なる枚数としてもよい。また、第一刃押さえ部１及び第三刃押さえ部３の間に支持する第１の刃体５の枚数、並びに、第二刃押さえ部２及び第三刃押さえ部３の間に支持する第２の刃体５の枚数の一方又は双方を、複数枚とすることなく１枚とすることも可能である。
【００１４】  第１の刃体５の長さ寸法（及び、刃先４の刃長）は、第一刃押さえ部１及び第三刃押さえ部３の間の寸法に対応した寸法となり、第２の刃体５の長さ寸法（及び、刃先４の刃長）は、第二刃押さえ部２及び第三刃押さえ部３の間の寸法に対応した寸法となる。即ち、第１の刃体５及び第２の刃体５の長さ寸法は、従来の複数刃剃刀の刃体５の寸法より短く設定されており、図１の例では、従来の刃体５の半分程度の長さとなる。一方、保持部に装着される刃体５の全体枚数は、従来の複数刃剃刀の刃体５の枚数より多く設定されており、図１の例では、従来の刃体５の２倍の枚数となる。
【００１５】  図２に、本実施の形態の複数刃剃刀のカートリッジ部分の内部構成（内部構造）を示す。第１の刃体５及び第２の刃体５のいずれも、各刃体５は、その基端側の所定幅部分の下側面が、くの字型に曲げた母材６の前面側（図２中の左側）の屈曲部分の上側面に溶接されている。母材６の後面側の屈曲部分は、ガイド７に挿着されており、母材６をガイド７に沿って移動案内することで、結果的に、刃体５を移動案内して刃体５の移動方向を決定するようになっている。なお、本実施の形態では、刃体５が第１の刃体５及び第２の刃体５から構成されて、保持部の長さ方向に２分割した構成となって装着されているため、ガイド７も、このような２分割構成に対応して、第一刃押さえ部１及び第三刃押さえ部３の間に設けられる第１のガイド７と、第二刃押さえ部２及び第三刃押さえ部３の間に設けられる第２のガイド７とからなる。同様に、母材６も、このような２分割構成に対応して、第一刃押さえ部１及び第三刃押さえ部３の間の第１のガイド７に挿着される第１の母材６と、第二刃押さえ部２及び第三刃押さえ部３の間の第２のガイド７に挿着される第２の母材６とからなり、第１の母材６により各第１の刃体５を支持し、第２の母材６により各第２の刃体５を支持するようになっている。そして、各母材６の基端（後面側の屈曲部分の後端）には、サスペンション機能を付与する（例えば、押圧コイルスプリング等の押圧ばねからなる）弾性材８が取り付けられている。即ち、本実施の形態の複数刃剃刀は、刃体５の基端を弾性材８により支持して各刃体５にサスペンション機能を付与するようにしている。
【００１６】  本実施の形態では、第一刃押さえ部１及び第三刃押さえ部３の間に第三刃押さえ部３を設置することにより、水平方向に刃体５を複数組設置することが可能になる。これにより、各刃体５の刃長も短くなり、刃体５のサスペンションの機能も敏感に作用することになり、肌負荷の低減を可能にする。
【００１７】  即ち、本実施の形態の複数刃剃刀は、剃刀の柄部の先端に設けられる保持部と、前記保持部の幅方向に間隔を置いて複数枚が配置されると共に、各々が前記保持部の長さ方向に沿って保持される刃体５とを備え、複数枚の前記刃体５を１組の刃体集合体として構成し、前記刃体集合体を前記保持部の長さ方向に複数組並設したことを特徴としている。即ち、複数枚の刃体５として、上記のように、所定の複数枚（図１の例では５枚）の第１の刃体５からなる第１の刃体集合体と、所定の複数枚（図１の例では５枚）の第２の刃体５からなる第２の刃体集合体とを備え、第１の刃体集合体及び第２の刃体集合体を、それぞれ、第一刃押さえ部１及び第三刃押さえ部３の間と、第二刃押さえ部２及び第三刃押さえ部３の間とに装着している。更に、本実施の形態の複数刃剃刀は、前記刃体集合体の刃体５を、それぞれ、自らの刃先４と直交する方向に往復移動自在となるよう前記保持部に弾性的に支持する弾性支持部として、前記弾性材８を備えている。
【００１８】  次に、図４の様に、肌に当てたときの状態を示す。ガイド７と弾性物質８により、肌に当たると凹凸に対応するようにそれぞれの刃体５が前後に動き、刃先３が、肌に負荷をかけないようになっている。本実施の形態の複数の刃体を持つ剃刀は、独立に動く刃体５が増えるため、従来品よりも肌表面の凹凸に対応し、肌負荷を更に抑えることが可能になる。
【００１９】  ところで、本発明の複数刃剃刀は、典型的にはＴ字型安全剃刀のカートリッジとして好適に具体化することができるが、その他の安全剃刀に具体化することも可能である。
【００２０】  また、追加の刃押え部として、第三刃押え部３に加えて、第四刃押え部を設けて、合計で３組の刃体集合体を保持部に装着したり、更に、追加の刃押え部を設けて更に多くの組の刃体集合体を保持部に装着するようにしたりしてもよい。
【符号の説明】
【００２１】１  第一刃押え部
２  第二刃押え部
３  第三刃押え部
４  刃先
５  刃体
６  母材
７  ガイド
８  弾性材
【図１】
2019042451.tif 000003
【図２】
2019042451.tif 000004
【図３】
2019042451.tif 000005
【図４】
2019042451.tif 000006